(57)【要約】【課題】表示品位を下げることなく、また製造コストの大幅な上昇を招くことなく、大きな表示面積を確保したアクティブマトリクス駆動の表示装置と、これの構成部品となるアクティブマトリクス回路基板とを提供すること。【解決手段】貫通孔の周辺部において、画素電極を駆動する画素駆動回路に接続される低電圧電源線及び高電圧電源線を纏めるように当該低電圧電源線及び高電圧電源線にそれぞれ接続された低電圧接続部及び高電圧接続部が設けられているので、この纏められた分電源線の設けられるスペースを節約することができる。低電圧電源線及び高電圧電源線のスペースを節約して回避部を迂回させるので、その分大きな表示面積を確保することが可能となる。【選択図】図１１
2008257191.tif 000002
【特許請求の範囲】
【請求項１】
所定の領域に回避部が設けられた基板と、
前記基板上に設けられた複数の画素電極と、
前記基板上に設けられ、前記複数の画素電極を駆動する駆動回路と、
前記基板上に設けられ、前記駆動回路に電気的に接続された複数の電源線を含み、一部が前記回避部を迂回する迂回部分を有する複数の配線と、
前記基板上のうち前記回避部の周辺部に設けられ、前記複数の電源線のうちの一部を纏めるように当該電源線に接続された接続部と
を具備することを特徴とするアクティブマトリクス回路基板。
【請求項２】
前記接続部が、前記複数の配線の前記迂回部分のうち前記回避部に対して最外周に設けられている
ことを特徴とする請求項１に記載のアクティブマトリクス回路基板。
【請求項３】
前記接続部が、前記複数の電源線の全部に接続されている
ことを特徴とする請求項１又は請求項２に記載のアクティブマトリクス回路基板。
【請求項４】
前記接続部が、前記回避部を囲うように環状に設けられている
ことを特徴とする請求項１乃至請求項３のうちいずれか一項に記載のアクティブマトリクス回路基板。
【請求項５】
対向配置され、電気光学物質層を挟持する第１基板及び第２基板と、
前記第１基板のうち前記第２基板との対向面に設けられた画素電極と、
前記第２基板のうち前記第１基板との対向面に設けられた対向電極と
を具備する表示装置であって、
前記第１基板が、請求項１乃至請求項４のうちいずれか一項に記載のアクティブマトリクス回路基板である
ことを特徴とする表示装置。
【請求項６】
前記電気光学物質層が、電気泳動粒子と当該電気泳動粒子を分散させる液相分散媒とからなる電気泳動分散液を含むことを特徴とする請求項５に記載の表示装置。
【発明の詳細な説明】
【技術分野】
【０００１】
本発明は、駆動電極と配線パターンとを備えてなるアクティブマトリクス回路基板と、このアクティブマトリクス回路基板を備えた表示装置に関する。
【背景技術】
【０００２】
近年、電気光学装置からなる各種の表示装置（ディスプレイ）の普及に伴い、時計や種々の計器などの表示部についても、前記の表示装置を用いることが検討されている。このように時計や種々の計器などの表示部として用いられる表示装置（表示装置）としては、例えば時計において時刻を示したり、計器において目盛り（数値）を示したりするための指針を取り付けるため、貫通孔を形成する必要があるものがある。貫通孔を形成した表示装置としては、パッシブマトリクス駆動であるＳＴＮ液晶を前提とした液晶表示装置が提案されている（例えば、特許文献１参照）。  
【特許文献１】特開２００１−７５１１２号公報
【発明の開示】
【発明が解決しようとする課題】
【０００３】
ところで、時計等に用いられる表示装置（表示装置）にあっても、単なる時刻を示す数字等を表示するだけでなく、「日付」や「曜日」等の暦情報、さらには時計等の機器に付属する各種の機能（タイマー機能やストップウォッチ機能、電波受信機能など）に関しても表示を行うため、パッシブマトリクス駆動でなくアクティブマトリクス駆動で表示を行いたいとの要望がある。
【０００４】
しかしながら、アクティブマトリクス駆動を行うためには、データ線やスキャン線等の配線を縦横に配設する必要がある。前記したように表示装置の構成部品となるアクティブマトリクス回路基板にドリル等で貫通孔を形成すると、その開孔位置にあるデータ線やスキャン線が損なわれてしまう。例えばこのアクティブマトリクス回路基板を用いた表示装置が矩形画面である場合、貫通孔を含んだ十字状の部位、すなわち設計上前記貫通孔を通過する配線に接続する画素電極による表示部位において、表示がなされなくなってしまう。そのため、貫通孔を有するマトリクス表示体では、設計上前記貫通孔を通過する配線について、該貫通孔を回避すべく、該貫通孔にかかる配線部分を迂回させる必要がある。
【０００５】
なお、前記の特許文献１には、アナログ指示計器と併用するために、表示部内に貫通孔を有する液晶表示装置において、その貫通孔の周辺に配線されるＸ電極およびＹ電極に貫通孔の軸線を中心とする所定曲率の円弧状電極部をそれぞれ形成したことにより、貫通孔の周辺スペースを有効に利用して高密度な配線が可能であるとともに、貫通孔の周辺に特異な表示を行うことができるようにした液晶表示装置が提供される、と記載されている。
しかしながら、この特許文献１には、ＴＦＴパネルによるアクティブマトリクス駆動については何等考慮されておらず、したがって前記した、アクティブマトリクス駆動で表示を行いたいとの要望には応えることができない。
【０００６】
前記したように、アクティブマトリクス方式の高精細な表示装置では、データ線（信号線）やスキャン線（走査線）等の配線を、貫通孔を回避させるべくこれを迂回させる必要があるが、貫通孔を迂回させて配線を配設するためには、該配線の形成位置に画素電極を駆動させるための画素駆動回路を配設することができなくなってしまう。特に、高解像度のものになると、迂回させる配線の数が非常に多くなってしまい、その分、画素駆動回路を形成するための領域も、より限定されてしまう。その結果、貫通孔の周辺では表示を行うことができず、したがって全体の表示面積が小さくなってしまう。
【０００７】
本発明は前記事情に鑑みてなされたもので、その目的とするところは、表示品位を下げることなく、また製造コストの大幅な上昇を招くことなく、大きな表示面積を確保したアクティブマトリクス駆動の表示装置と、これの構成部品となるアクティブマトリクス回路基板とを提供することにある。
【課題を解決するための手段】
【０００８】
本発明に係るアクティブマトリクス回路基板は、所定の領域に回避部が設けられた基板と、前記基板上に設けられた複数の画素電極と、前記基板上に設けられ、前記複数の画素電極を駆動する駆動回路と、前記基板上に設けられ、前記駆動回路に電気的に接続された複数の電源線を含み、一部が前記回避部を迂回する迂回部分を有する複数の配線と、前記基板上のうち前記回避部の周辺部に設けられ、前記複数の電源線のうちの一部を纏めるように当該電源線に接続された接続部とを具備することを特徴とする。
【０００９】
本発明によれば、画素電極を駆動する駆動回路に接続された複数の電源線のうち、基板上の回避部の周辺部には、所定の数の電源線を纏めるように当該電源線に接続された接続部が設けられているので、この纏められた分電源線の設けられるスペースを節約することができる。電源線のスペースを節約して回避部を迂回させるので、その分大きな表示面積を確保することが可能となる。「回避部」については、例えば基板に設けられた貫通孔など物理的に配線を配置することができない領域や、他の配線が設けられている領域など電気的短絡が生じるため配線を配置することができない領域などを含んでいる。
【００１０】
上記のアクティブマトリクス基板は、前記接続部が、前記複数の配線の前記迂回部分のうち前記回避部に対して最外周に設けられていることを特徴とする。  
本発明によれば、接続部が複数の配線の迂回部分のうち回避部に対して最外周に設けられていることとしたので、電源線を纏めやすくすることができる。これにより、回避部を回避するスペースを極力節約することができる。
【００１１】
上記のアクティブマトリクス回路基板は、前記接続部が、前記複数の電源線の全部に接続されていることを特徴とする。  
本発明によれば、接続部が複数の電源線の全部に接続されているので、その分電源線を配置するスペースを大幅に節約することができる。
【００１２】
上記のアクティブマトリクス基板は、前記接続部が、前記回避部を囲うように環状に設けられていることを特徴とする。  
本発明によれば、接続部が回避部を囲うように環状に設けられていることとしたので、電源線を纏めることができる上、回避部の周囲のうちどの部分からも接続することができる。これにより、回避部を回避しやすくすることができる。
【００１３】
本発明に係る表示装置は、対向配置され、電気光学物質層を挟持する第１基板及び第２基板と、前記第１基板のうち前記第２基板との対向面に設けられた画素電極と、前記第２基板のうち前記第１基板との対向面に設けられた対向電極とを具備する表示装置であって、前記第１基板が、上記のアクティブマトリクス回路基板であることを特徴とする。
【００１４】
本発明によれば、配線のスペースを節約して回避部を迂回させることで大きな表示面積を確保することが可能なアクティブマトリクス回路基板が搭載されているので、表示品位を下げることなく、また製造コストの大幅な上昇を招くことなく、大きな表示面積を確保したアクティブマトリクス駆動の表示装置を得ることができる。
【００１５】
上記の表示装置は、前記電気光学物質層が、電気泳動粒子と当該電気泳動粒子を分散させる液相分散媒とからなる電気泳動分散液を含むことを特徴とする。  
本発明によれば、表示装置を構成する電気泳動素子が表示の保持性（メモリ性）を有しているので、例えば表示を固定している際には電気泳動粒子に与える電界を無くしても、表示がそれ以前に与えられた電界による状態に保持される。したがって、消費電力の低減化が可能になる。
【発明を実施するための最良の形態】
【００１６】
［第１実施形態］  
以下、図面に基づき、本発明の第１実施形態を説明する。  
図１は、本実施形態に係る表示装置を備えた腕時計１の正面図である。  
同図に示すように、腕時計１は、時計ケース２と、当該時計ケース２に連結された一対のバンド３とを主体として構成されている。
【００１７】
時計ケース２は、ステンレス等の金属又はプラスチック樹脂等の樹脂からなる。時計ケース２の正面には、表示装置５と、秒針２１と、分針２２と、時針２３とが設けられている。時計ケース２の側面には、操作子としての竜頭１０と操作ボタン１１とが設けられている。竜頭１０は、ケース内部に設けられる巻真（図示せず）に連結されており、当該巻真と一体となって多段階（例えば２段階）で押し引き自在、かつ、回転自在に設けられている。
【００１８】
図２は、腕時計１の側断面図である。  
同図に示すように、時計ケース２の内部には収容部２Ａが設けられている。収容部２Ａには、ムーブメント４と表示装置５とが収容されている。
【００１９】
ムーブメント４は、秒針２１、分針２２及び時針２３からなるアナログ指針が連結された運針機構（図示せず）を有している。この運針機構が前記アナログ指針２１〜２３を回転駆動することにより、設定された時刻を表示する時刻表示部として機能するようになっている。
【００２０】
表示装置５は、例えばアクティブマトリクス駆動の電気泳動表示装置によって構成されており、ムーブメント４の時計正面側に配置されている。この表示装置５は、腕時計１の表示部を構成する。表示装置５の表示面は、ここでは円形状になっている。表示面の形状については、円形状のほか、例えば正八角形状、十六角形状など、他の形状になっていても構わない。
【００２１】
表示装置５の中央部には、当該表示装置５の表裏を貫通する貫通孔５Ａが形成されている。貫通孔５Ａには、前記ムーブメント４の運針機構（図示せず）の秒車２４、２番車２５及び筒車２６の各軸が挿入されている。各軸の先端には、上述した秒針２１、分針２２及び時針２３がそれぞれ取り付けられている。
【００２２】
収容部２Ａの一端側（時計正面側）には、ガラス製又は樹脂製の透明カバー７が設けられている。この透明カバー７は、樹脂製又は金属製の圧入リング６を介して収容部２Ａに圧入固定されている。収容部２Ａの他端側（時計裏側）には、パッキン８を介して裏蓋９が螺合されている。裏蓋９及び透明カバー７によって時計ケース２の内部の密封性が確保されている。
【００２３】
図３は表示装置５の構成を概略的に示す断面図である。  
同図に示すように、表示装置５は、第１基板（アクティブマトリクス回路基板）３０と、第２基板３１と、電気泳動層３２とを主体として構成されている。
【００２４】
第１基板３０と第２基板３１とは、電気泳動層３２を挟持するように対向配置されている。第１基板３０の内面（第２基板との対向面）には、画素電極３５（図７等参照）が形成されている。第２基板３１の内面（第１基板３０との対向面）には、ＩＴＯ等の透明な導電材料からなる共通電極（対向電極）３７が形成されている。第２基板３１の外面は、静止画や動画などの画像が表示される表示面になっている。第１基板３０及び第２基板３１の中央には、上述した貫通孔５Ａが形成されている。貫通孔５Ａは、第１基板３０及び第２基板３１のうち平面視で重なる領域を貫くように形成されている。貫通孔５Ａの内側面には、シール部５１が設けられている。シール部５１は、第１基板３０と第２基板３１との間の領域（電気泳動層３２が設けられた領域）を封止するように設けられている。
【００２５】
電気泳動層３２は、図４（ａ）及び図４（ｂ）に示すように多数のマイクロカプセル２４を主体として構成されている。各マイクロカプセル２４には、それぞれ電気泳動分散液（電気光学物質）２５が封入されている。電気泳動分散液２５は、正に帯電した黒色の電気泳動粒子（以下、黒色粒子と記す）２６と、負に帯電した白色の電気泳動粒子（以下、白色粒子と記す）２７とが、それぞれ多数個ずつ液相分散媒（図示せず）中に分散された構成になっている。電気泳動分散液２５については、前記の２粒子系のものに限定されることなく、１粒子系のものも使用可能である。この場合に液相分散媒について着色したものを使用することもできる。２粒子系、１粒子系のいずれにおいても、粒子の色については、白と黒以外の種々の色を採用することができる。
【００２６】
この電気泳動素子２８の動作を説明する。図４（ａ）に示すように、共通電極３７の電位が画素電極３５の電位より相対的に高い場合には、負に帯電した白色粒子２７が共通電極３７側に移動（泳動）し、正に帯電した黒色粒子２６は画素電極３５側に移動（泳動）する。その結果、表示面側となる共通電極３７側を見ると、電気泳動素子２８に対応する画素部では白色が認識される。
【００２７】
一方、図４（ｂ）に示すように、画素電極３５の電位が共通電極３７の電位より相対的に高い場合には、正に帯電した黒色粒子２６が共通電極３７側に移動（泳動）し、負に帯電した白色粒子２７は画素電極３５側に移動（泳動）する。その結果、共通電極３７側を見ると、この電気泳動素子２８に対応する画素部では黒色が認識される。このように、各画素部毎に白あるいは黒が表示されることにより、これら画素部が基本的にマトリクス状に配置された表示装置５では、白または黒からなるパターン表示が可能になっている。
【００２８】
図５は、表示装置５の画素の構成を模式的に示す平面図である。  
この表示装置５のうち、平面視で貫通孔５Ａの周辺部７１（図７参照）以外の表示領域７０（図７参照）においては、図５に示すように画素部４０が平面視でマトリクス状に配列されている。各画素部４０は、図６の回路図に示すように、スイッチング素子としてのトランジスタ４１と、４つのトランジスタ４２、４３、４４、４５を組み合わせて構成されるラッチ回路４６と、電気泳動素子２８とを備えている。トランジスタ４１とラッチ回路４６とによって上述した画素駆動回路３４が構成されている。
【００２９】
トランジスタ４１は、例えば電界効果型のｎチャネルトランジスタであり、そのゲートが走査線（スキャン線）４７に接続され、一方のソースドレイン（入力端）がデータ線（信号線）４８に接続され、他方のソースドレイン（出力端）がラッチ回路４６の入力端に接続されている。
【００３０】
ラッチ回路（フリップフロップ回路）４６は、例えば２つの電界効果型のｎチャネルトランジスタ４２、４４と、２つの電界効果型のｐチャネルトランジスタ４３、４５とを組み合わせて構成されている。トランジスタ４２、４３は、その一方のソースドレインどうしが接続されており、トランジスタ４２の他方のソースドレインは低電圧電源線４９に接続されており、トランジスタ４３の他方のソースドレインは高電圧電源線５０に接続されている。同様に、トランジスタ４４、４５はその一方のソースドレインどうしが接続されており、トランジスタ４４の他方のソースドレインは低電圧電源線４９に接続されており、トランジスタ４５の他方のソースドレインは高電圧電源線５０に接続されている。
【００３１】
トランジスタ４２、４３の各ゲートは、トランジスタ４４、４５のソースドレインどうしの接続点Ｎ１に接続されている。この接続点Ｎ１は、ラッチ回路４６の入力端として機能するようになっている。この入力端Ｎ１は、前記トランジスタ４１の他方のソースドレイン（出力端）に接続されている。トランジスタ４４、４５の各ゲートは、トランジスタ４２、４３のソースドレイン同士の接続点Ｎ２に接続されている。この接続点Ｎ２は、ラッチ回路４６の出力端として機能するようになっている。このラッチ回路４６の出力端Ｎ２は、前記した画素電極３５、すなわち電気泳動素子２８の一方の側の電極に接続されている。このような構成のもとにラッチ回路４６は、入力端Ｎ１に与えられた電位が高電位のときに出力端Ｎ２には低電位ＶＳＳが現れ、入力端Ｎ１に与えられた電位が低電位のときに出力端Ｎ２には高電位ＶＥＰが現れるようになっている。
【００３２】
図７は、表示装置５の概略構成を示す平面図である。図７に示すように、表示領域７０には、画素電極３５がマトリクス状に配列されており、貫通孔５Ａの周辺部７１では、画素電極３５が設けられていない構成になっている。貫通孔５Ａの周辺部７１には、各種信号を伝達する配線などが設けられている。
【００３３】
図８は、表示装置５のうち貫通孔５Ａの周辺部７１の構成を示す平面図である。  
同図に示すように、表示領域７０では、走査線４７が当該マトリクスの行方向に延在すると共に列方向に沿って配列されており、低電圧電源線４９がこの走査線４７と同様にマトリクスの行方向に延在すると共に列方向に沿って配列されている。この表示領域７０では、低電圧電源線４９と走査線４７とがマトリクスの列方向（低電圧電源線４９及び走査線４７の配列方向）に交互に設けられている。
【００３４】
また、表示領域７０では、データ線４８がマトリクスの列方向に延在すると共に行方向に沿って配列されており、高電圧電源線５０がデータ線４８と同様にこの領域でマトリクスの行方向に延在すると共に列方向に沿って配列されている。表示領域７０では、高電圧電源線５０とデータ線４８とがマトリクスの列方向（高電圧電源線５０及びデータ線４８の配列方向）に交互に設けられている。
【００３５】
貫通孔５Ａの周辺部７１は、設計上貫通孔５Ａを通過する位置に配される部分、つまり貫通孔５Ａが無ければこの貫通孔５Ａを形成した部位を通るように配置された部分である。この部分には、走査線４７及びデータ線４８共に、貫通孔５Ａを避けてその周囲を迂回する迂回配線部４７ａ及び４８ａがそれぞれ設けられている。
【００３６】
貫通孔５Ａの周辺部７１には、当該貫通孔５Ａの周囲をシールしたシール部５１が形成されている。シール部５１は、走査線４７及びデータ線４８を通すことができない領域となっている。したがって、ここでは、貫通孔５Ａ及びシール部５１を回避部としている。
走査線４７及びデータ線４８のうち、設計上貫通孔５Ａを通過する位置に配されるものだけでなく、設計上シール部５１を通過する位置に配されるものにも、該シール部５１を避けてその周囲を迂回する迂回配線部４７ａ及び４８ａが設けられている。
【００３７】
迂回配線部４７ａ及び４８ａを形成した走査線４７及びデータ線４８の近傍に位置する走査線４７及びデータ線４８にも、当該迂回配線部４７ａ及び４８ａを回避する必要上、やはり迂回配線部を形成する必要がある。そのような走査線４７及びデータ線４８についても、本実施形態では同様に迂回配線部４７ａ、４８ａをそれぞれ形成している。本実施形態においては、貫通孔５Ａ及びシール部５１に加えて、これらの近傍に位置する迂回配線４７ａ及び４８ａも回避部５２となっている。
【００３８】
また、貫通孔５Ａの周辺部７１には、各低電圧電源線４９に接続された低電圧接続部５９と、各高電圧電源線５０に接続された高電圧接続部６０とが設けられている。低電圧接続部５９及び高電圧接続部６０は、金属やＩＴＯなどの導電材料からなり、回避部５２を囲むように平面視で環状、例えば正八角形の環状に設けられている。低電圧接続部５９及び高電圧接続部６０は、貫通孔５Ａの周辺部７１のうち上述した迂回配線部４７ａ及び迂回配線部４８ａの外側に設けられており、当該貫通孔５Ａの周辺部７１の最外周に設けられている。図８においては、低電圧接続部５９が外側、高電圧接続部６０が内側に設けられている。各低電圧電源線４９及び各高電圧電源線５０は、低電圧接続部５９及び高電圧接続部６０によって１つずつの配線部に纏められた状態で回避部５２を回避するようになっている。
【００３９】
図９は、図８のＡ−Ａ断面に沿った構成を示す図である。図１０は、図７のＢ−Ｂ断面に沿った構成を示す図である。
【００４０】
図９及び図１０に示すように、ガラス基板３３上には画素駆動回路３４が設けられている。画素電極３５は、画素駆動回路３４の上層に設けられており、当該画素駆動回路３４に平面視で重なる位置にマトリクス状に配列されている。画素電極３５及び画素駆動回路３４は、コンタクトホール６１を介して電気的に接続されている。
【００４１】
また、ガラス基板３３上には、走査線４７、低電圧接続部５９及び高電圧接続部６０が設けられている。この走査線４７、低電圧接続部５９及び高電圧接続部６０上には、これらを覆うように絶縁層６７が設けられている。走査線４７は、上記の低電圧接続部５９及び高電圧接続部６０に平面視で交差する部分では、例えばコンタクトホール６２を介して絶縁層６７上に設けられている。絶縁層６７上には、データ線４８が設けられている。データ線４８上には、当該データ線４８を覆うように絶縁層６８が設けられている。絶縁層６８上には、上記の画素電極３５が設けられている。
【００４２】
走査線４７又はデータ線４８がガラス基板３３上の層に設けられている領域では、低電圧接続部５９及び高電圧接続部６０はこの走査線４７又はデータ線４８を回避するように、絶縁層６７上の層に設けられている（例えば図８の列方向に延在する低電圧接続部５９ａ及び高電圧接続部６０ａ）。走査線４７又はデータ線４８が絶縁層６７上の層に設けられている領域では、低電圧接続部５９及び高電圧接続部６０はこの走査線４７又はデータ線４８を回避するように、ガラス基板３３上の層に設けられている（例えば図８の列方向に対して４５°傾いて延在する低電圧接続部５９ｂ及び高電圧接続部６０ｂ）。絶縁層６７上の低電圧接続部５９ａ及び高電圧接続部６０ａと、ガラス基板３３上の低電圧接続部５９ｂ及び高電圧接続部６０ｂとの間は、コンタクトプラグ５９ｃ、６０ｃによって電気的に接続されている。
【００４３】
通常、マトリクス状に配列された画素を駆動する場合、図１１（ａ）に示すように、電源用配線８０と信号用配線８１（走査線、データ線）とを交互に配列することとしている。電源用配線８０及び信号用配線８１は、画素の配列されたラインごとに設けられる。両者は互いに短絡しないように距離を置いて配列されるため、画素のライン方向に広がって配置されることとなる。このため、その分表示領域が狭くなってしまうという問題があった。
【００４４】
これに対して、本実施形態によれば、図１１（ｂ）に示すように、貫通孔５Ａの周辺部７１において、画素電極３５を駆動する画素駆動回路３４に接続される低電圧電源線４９及び高電圧電源線５０を纏めるように当該低電圧電源線４９及び高電圧電源線５０にそれぞれ接続された低電圧接続部５９及び高電圧接続部６０が設けられているので、この纏められた分電源線の設けられるスペースを節約することができる。低電圧電源線４９及び高電圧電源線５０のスペースを節約して回避部５２を迂回させるので、その分大きな表示面積を確保することが可能となる。
【００４５】
［第２実施形態］  
次に、本発明の第２実施形態を説明する。図１２は、本実施形態に係る表示装置１０５の構成を示す平面図である。  
本実施形態では、表示装置１０５は、第１実施形態の表示装置５とほぼ同様の構成を有しているが、マトリクス状に配置された画素電極１３５のほかに、回避部１５２の外側から回避部１５２内に向けて延在する画素電極１３５ｃが設けられている構成になっている点で、第１実施形態とは異なっている。
【００４６】
このような構成によれば、回避部１５２内にも画素電極１３５ｃを設けることができるので、第１実施形態と同様の効果を得ることができる上に、表示領域を広くすることができるという効果を奏することとなる。
【００４７】
［第３実施形態］  
次に、本発明の第３実施形態を説明する。図１３は、本実施形態に係る表示装置２０５の構成を示す平面図である。  
本実施形態では、表示装置２０５は、第１実施形態の表示装置５とほぼ同様の構成を有しているが、マトリクス状に配置された画素電極２３５のほかに、回避部２５２を覆うように環状の画素電極２３５ｃが設けられている構成になっている点で、第１実施形態とは異なっている。
【００４８】
このような構成によれば、第２実施形態と同様、回避部２５２内にも画素電極２３５ｃを設けることができるので、第１実施形態と同様の効果を得ることができる上に、表示領域を広くすることができるという効果を奏することとなる。
【００４９】
［第４実施形態］  
次に、本発明の第４実施形態を説明する。図１４は、本実施形態に係る表示装置３０５の構成を示す平面図である。  
本実施形態に係る表示装置３０５は、走査線３４７とデータ線３４８とを直交させることなく、走査線３４７を斜めに（例えば４５°に）配列する構成になっている。画素電極３３５がマトリクス状に配列されている領域では、走査線３４７の間に低電圧電源線３４９が設けられており、走査線３４７と低電圧電源線３４９とが交互に配列されている。同様に、この領域では、データ線３４８の間に高電圧電源線３５０が設けられており、データ線３４８と高電圧電源線３５０とが交互に配列されている。貫通孔３０５Ａ及びシール材３５１の周囲（回避部３５２）においては、低電圧電源線３４９及び高電圧電源線３５０を纏めるように当該低電圧電源線３４９及び高電圧電源線３５０に接続された接続部３５９が設けられている。
【００５０】
なお、上記構成では、走査線３４７を斜めに配置する構成としたが、データ線３４８を斜めに配置する構成であっても構わない。また、上記構成では、低電圧電源線３４９及び高電圧電源線３５０が共通の接続部３５９に接続されているが、異なる接続部をそれぞれ設けても構わない。
【００５１】
このように、第１実施形態に対して走査線３４７及びデータ線３４８の配置を変えた場合であっても、低電圧電源線３４９及び高電圧電源線３５０を纏めるように接続する接続部３５９が設けられているので、低電圧電源線３４９及び高電圧電源線３５０のスペースを節約しながら回避部３５２を回避させることができる。これにより、第１実施形態と同様の効果を得ることができる。
【００５２】
［第５実施形態］  
次に、本発明の第５実施形態を説明する。  
本実施形態では、回避部の一部のみが、表示装置の表示領域内に形成された構成になっている。
【００５３】
具体的には、図１５に示すように、表示装置４０５の平面形状が正八角形であり、その中心に貫通孔４０５Ａが形成されている場合に、走査線４４７及びデータ線４４８を設けた表示領域側に貫通孔４０５Ａの半分を位置し、残りの半分を非表示領域側に位置するように、表示領域を形成してもよい。なお、図１５において、符号４６３はゲートドライバ、符号４６４はデータドライバである。
【００５４】
回避部の一部を表示領域内に形成する他の例として、図１６に示すように、表示装置５０５の平面形状が正八角形であり、その中心に貫通孔５０５Ａが形成されている場合に、貫通孔５０５Ａの１／４が、走査線５４７及びデータ線５４８を設けた表示領域側に位置し、残りが非表示領域側に位置するように、表示領域を形成してもよい。なお、図１６において、符号５６３はゲートドライバ、符号５６４はデータドライバである。
【００５５】
このように、回避部の一部を表示領域内に形成する構成に本発明を適用することによれば、表示領域が比較的狭い表示装置であっても、本発明のアクティブマトリクス回路基板を対応させることが可能となる。したがって、特に表示領域を狭くし、消費電力を抑えることで電池の寿命を長くするようにした表示装置への適用が容易になる。
【００５６】
本発明の技術範囲は上記実施形態に限定されるものではなく、本発明の趣旨を逸脱しない範囲で適宜変更を加えることができる。  
上記実施形態においては、低電圧接続部及び高電圧接続部の平面形状は八角形の環状であったが、これに限られることはない。例えば図１７に示すように、低電圧接続部６５９及び高電圧接続部６６０の形状を正方形の環状に形成しても構わない。
【００５７】
また、上記実施形態のように表示装置の低電圧接続部及び高電圧接続部の平面形状を八角形状だけでなく、図１８に示すように表示装置７０５の低電圧接続部及び高電圧接続部の平面形状を平面的に重なるように矩形状に構成し、異なる層で形成してもよい。矩形状の場合であっても貫通孔７０５Ａ等の回避部近傍における表示領域を拡げることができる。また、低電圧接続部及び高電圧接続部を異なる層で矩形状にすることにより、走査線やデータ線を回避するために異なる層に低電位電源線及び高電位電源線をコンタクトプラグを用いて電気的に接続する必要がなくなるので、コンタクトプラグを形成しなくて済む。なお、図１８において符号７６１はゲートドライバ、符号７６２はソースドライバである。
【００５８】
また、特殊な形状の例として図１９に示すように、表示装置８０５の平面形状をハート形状に構成しても良い。これらの場合、上記と同様にして、貫通孔８０５Ａ等の回避部近傍における表示領域を拡げることができる。なお、図１９において符号８６１はゲートドライバ、符号８６２はソースドライバである。
【００５９】
また、上記実施形態では電気光学物質として電気泳動分散液を用い、電気泳動素子を構成することで表示をなさせるようにしたが、他に例えば、電気光学物質として液晶材料を用いることにより、液晶表示素子を構成するようにしてもよく、また、有機ＥＬ材料を用いることにより、有機ＥＬ素子を構成するようにしてもよい。
【００６０】
また、上記実施形態では、本発明の表示装置を腕時計に適用した例を示したが、置時計や壁掛時計、柱時計、懐中時計などにも適用できるのはもちろんである。時計以外にも、指針を有するような各種の計器などにも適用することができ、さらには、貫通孔以外の回避部を有した種々の表示装置にも適用可能である。
【００６１】
表示部の中央に指針を備えた表示装置の例として、例えば図２０に示すように、自動車のインストゥルメント・パネル９０１に備えられる速度メータ９０２、回転数計９０３などの各種計器類が挙げられる。速度メータ９０２、回転数計９０３の中央にはそれぞれ指針９０４，９０５が備えられており、表示装置には指針９０４，９０５を挿通させる孔９０６，９０７が設けられている。速度メータ９０２、回転数計９０３の側方には、例えば燃料計９０８、水温計９０９等の小メータが備えられている。これら小メータにも指針９１１，９１２が備えられており、表示装置には指針９１１，９１２を挿通させる孔９１３，９１４が設けられている。この種の計器類に上記実施形態の表示装置を適用すれば、大きな表示面積を有する計器類を実現できる。特に、電気光学物質として有機ＥＬを用いた場合、大きな表示面積を確保できることに加え、夜間においても自発光による明るい表示を得ることができる。
【図面の簡単な説明】
【００６２】
【図１】本発明の表示装置に係る腕時計の正面図。
【図２】腕時計の側断面図。
【図３】表示装置の側断面図。
【図４】電気泳動素子の動作説明図。
【図５】表示装置の貫通孔の周辺部以外の表示領域を示す図。
【図６】表示装置の画素部の等価回路図。
【図７】表示装置の構成を示す平面図。
【図８】表示装置の一部の構成を示す平面図
【図９】表示装置の第１基板の断面構成を示す図。
【図１０】表示装置の第１基板の断面構成を示す図。
【図１１】電源線用の配線を纏めたことによる効果を示す図。
【図１２】本発明の第２実施形態に係る表示装置の構成を示す平面図。
【図１３】本発明の第３実施形態に係る表示装置の構成を示す平面図。
【図１４】本発明の第４実施形態に係る表示装置の構成を示す平面図。
【図１５】本発明の第５実施形態に係る表示装置の構成を示す平面図。
【図１６】同、平面図。
【図１７】本発明に係る表示装置の他の構成を示す平面図。
【図１８】本発明に係る表示装置の他の構成を示す平面図。
【図１９】本発明に係る表示装置の他の構成を示す平面図。
【図２０】本発明に係る表示装置を備えた自動車の各種計器類を示す平面図。
【符号の説明】
【００６３】
１…腕時計  ５…表示装置  ５Ａ…貫通孔  ３０…第１基板  ３１…第２基板  ３２…電気泳動層  ３３…ガラス基板  ３４…画素駆動回路  ３５…画素電極  ３５ｃ…画素電極  ３７…共通電極  ４０…画素部  ４７…走査線  ４８…データ線  ４９…低電圧電源線  ５０…高電圧電源線  ５１…シール部  ５２…回避部  ５９…低電圧接続部  ６０…高電圧接続部
【図１】
2008257191.tif 000003
【図２】
2008257191.tif 000004
【図３】
2008257191.tif 000005
【図４】
2008257191.tif 000006
【図５】
2008257191.tif 000007
【図６】
2008257191.tif 000008
【図７】
2008257191.tif 000009
【図８】
2008257191.tif 000010
【図９】
2008257191.tif 000011
【図１０】
2008257191.tif 000012
【図１１】
2008257191.tif 000013
【図１２】
2008257191.tif 000014
【図１３】
2008257191.tif 000015
【図１４】
2008257191.tif 000016
【図１５】
2008257191.tif 000017
【図１６】
2008257191.tif 000018
【図１７】
2008257191.tif 000019
【図１８】
2008257191.tif 000020
【図１９】
2008257191.tif 000021
【図２０】
2008257191.tif 000022